(57)【要約】【課題】効率的にネットワークへ接続できる通信機器を提供すること。【解決手段】スマートフォン１は、タッチスクリーンディスプレイ２の電源がオンの状態において、ＷｉＭＡＸによるデータ通信のセッションが確立されている状態で当該セッションが切断された場合、ＷｉＭＡＸに対するスマートフォン１の認証に成功するまで、第１時間間隔以下の時間間隔で当該認証を試行し、タッチスクリーンディスプレイ２の電源がオフの状態において、ＷｉＭＡＸによるデータ通信のセッションが確立されている状態で当該セッションが切断された場合、ＷｉＭＡＸに対するスマートフォン１の認証に成功するまで、第１時間間隔で当該認証を試行する。【選択図】図５
2014033250.tif 000002
【特許請求の範囲】
【請求項１】
表示部と、
無線通信を行う通信部と、
前記無線通信のセッションが切断状態において、前記表示部の電源がオンの状態の場合、第１時間間隔以下の時間間隔で無線通信におけるネットワークへの接続を試行し、前記表示部の電源がオフの状態の場合、前記第１時間間隔で当該ネットワークへの接続を試行する制御部と、を備える通信機器。
【請求項２】
前記制御部は、前記無線通信のセッションが切断状態において、前記無線通信に対応する無線通信システムに対する認証を試行し、前記認証に成功した場合に、前記ネットワークに対してネットワークエントリを行う、
請求項１に記載の通信機器。
【請求項３】
前記制御部は、前記表示部の電源がオンの状態において、前記無線通信のセッションが切断された場合、前記認証に成功するまで、前記第１時間間隔より短い第２時間間隔から段階的に時間間隔を増加させ、最大の時間間隔を前記第１時間間隔として当該認証を試行し、前記表示部の電源がオフの状態において、前記無線通信のセッションが切断された場合、前記認証に成功するまで、前記第１時間間隔で前記認証を試行する、
請求項２に記載の通信機器。
【請求項４】
表示部と、
無線通信を行う通信部と、
前記表示部の電源がオンの状態において、前記無線通信のセッションが切断された場合、前記無線通信に対応する無線通信システムのサーチに成功するまで、第１時間間隔以下の時間間隔で当該サーチを試行し、前記表示部の電源がオフの状態において、前記無線通信のセッションが切断された場合、前記無線通信システムのサーチに成功するまで、前記第１時間間隔で当該サーチを試行する制御部と、を備える通信機器。
【発明の詳細な説明】
【技術分野】
【０００１】
本発明は、無線通信を行う通信機器に関する。
【背景技術】
【０００２】
従来、携帯電話機、スマートフォン又はタブレット端末等の通信機器は、ＷｉＭＡＸ（登録商標）又はＣＤＭＡ等の無線通信システムのネットワークを用いてデータ通信を行っている。
また、例えば、特許文献１には、使用頻度が高い通信モードから優先的に基地局をサーチする技術が開示されている。
【先行技術文献】
【特許文献】
【０００３】
【特許文献１】特開２００４−２６０５０３号公報
【発明の概要】
【発明が解決しようとする課題】
【０００４】
ところで、スマートフォン又はタブレット端末等、タッチスクリーンディスプレイを備える通信機器は、高機能化に伴ってアプリケーションの実行、表示及び通信等に多くの電力を必要とする傾向にあるため、特に携帯型の通信機器では、ユーザの利便性を低下させることなく消費電力を低減させることが求められている。
【０００５】
しかしながら、ユーザが通信機器を利用するユースケースによっては、ディスプレイの電源がオフで操作入力を受け付けずデータ通信を行っていない場合に、ネットワークへ接続中又はサーチ中となって、通信機器の電力が無用に消費されていた。
【０００６】
本発明は、効率的にネットワークへ接続できる通信機器を提供することを目的とする。
【課題を解決するための手段】
【０００７】
本発明に係る通信機器は、表示部と、無線通信を行う通信部と、前記無線通信のセッションが切断状態において、前記表示部の電源がオンの状態の場合、第１時間間隔以下の時間間隔で無線通信におけるネットワークへの接続を試行し、前記表示部の電源がオフの状態の場合、前記第１時間間隔で当該ネットワークへの接続を試行する制御部と、を備える。
【０００８】
また、前記制御部は、前記無線通信のセッションが切断状態において、前記無線通信に対応する無線通信システムに対する認証を試行し、前記認証に成功した場合に、前記ネットワークに対してネットワークエントリを行うこととしてもよい。
【０００９】
また、前記制御部は、前記表示部の電源がオンの状態において、前記無線通信のセッションが切断された場合、前記認証に成功するまで、前記第１時間間隔より短い第２時間間隔から段階的に時間間隔を増加させ、最大の時間間隔を前記第１時間間隔として当該認証を試行し、前記表示部の電源がオフの状態において、前記無線通信のセッションが切断された場合、前記認証に成功するまで、前記第１時間間隔で前記認証を試行することとしてもよい。
【００１０】
本発明に係る通信機器は、表示部と、無線通信を行う通信部と、前記表示部の電源がオンの状態において、前記無線通信のセッションが切断された場合、前記無線通信に対応する無線通信システムのサーチに成功するまで、第１時間間隔以下の時間間隔で当該サーチを試行し、前記表示部の電源がオフの状態において、前記無線通信のセッションが切断された場合、前記無線通信システムのサーチに成功するまで、前記第１時間間隔で当該サーチを試行する制御部と、を備える。
【発明の効果】
【００１１】
本発明によれば、効率的にネットワークへ接続できる。
【図面の簡単な説明】
【００１２】
【図１】実施形態に係るスマートフォンの外観を示す斜視図である。
【図２】実施形態に係るスマートフォンの外観を示す正面図である。
【図３】実施形態に係るスマートフォンの外観を示す背面図である。
【図４】ホーム画面の一例を示す図である。
【図５】実施形態に係るスマートフォンの機能を示すブロック図である。
【図６】タッチスクリーンディスプレイの電源がオンになったことに伴うネットワークエントリの例を示す図である。
【図７】タッチスクリーンディスプレイの電源がオフである場合に行われるＷｉＭＡＸの基地局のサーチに伴うネットワークエントリの例を示す図である。
【図８】実施形態に係るスマートフォンにおける処理を示すフローチャートである。
【図９】図８に続きフローチャートである。
【発明を実施するための形態】
【００１３】
本発明を実施するための実施形態を、図面を参照しつつ詳細に説明する。以下では、タッチスクリーンディスプレイを備える通信機器の一例として、スマートフォンについて説明する。
【００１４】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１５】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１６】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１７】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１８】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００１９】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２０】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２１】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２２】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２３】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２４】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２５】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００２６】
スマートフォン１は、タッチスクリーン２Ｂを介して判別するこれらのジェスチャにしたがって動作を行う。したがって、利用者にとって直感的で使いやすい操作性が実現される。判別されるジェスチャにしたがってスマートフォン１が行う動作は、タッチスクリーンディスプレイ２に表示されている画面に応じて異なる。
【００２７】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２８】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００２９】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則にしたがって配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定にしたがって任意の画像が壁紙４１として決定される。
【００３０】
スマートフォン１は、ホーム画面の数を増減することができる。スマートフォン１は、例えば、ホーム画面の数を利用者による設定にしたがって決定する。スマートフォン１は、ホーム画面を表示する場合、ホーム画面の数が複数であっても、それらのうちから選択された１つをディスプレイ２Ａに表示する。
【００３１】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３２】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３３】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３４】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００３５】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３６】
図５は、スマートフォン１の構成を示すブロック図である。
スマートフォン１は、制御部３０と、第１通信処理部３１と、第１アンテナ部３２と、第２通信処理部３３と、第２アンテナ部３４とを備える。なお、スマートフォン１は、上述した構成要素以外にもマイク等の他の構成要素を備えている。
【００３７】
第１通信処理部３１は、第１通信システムのネットワークで無線通信を行う。第２通信処理部３３は、第２通信システムのネットワークで無線通信を行う。なお、以下では、第１通信処理部３１による通信は、第２通信処理部３３による通信よりも優先度を高く設定してあるので、上位ベアラ通信ともいう。また、第２通信処理部３３による通信は、下位ベアラ通信ともいう。
【００３８】
以下、第１通信システムの通信方式は、ＩＥＥＥ８０２．１６に準拠し、第２通信システムの通信方式は、ＩＭＴ−２０００標準に準拠しているものとする。具体的には、第１通信システムは、ＷｉＭＡＸである。また、第２通信システムは、ＣＤＭＡ（例えば、ＣＤＭＡ２０００＿１ｘ、Ｗ−ＣＤＭＡ等）である。
【００３９】
この場合、スマートフォン１は、ＷｉＭＡＸがロストしてＣＤＭＡで通信を行っている際はもちろん、ＷｉＭＡＸで通信を行っている際も、ＣＤＭＡではページングの間欠受信を行っており、着信データ又はプッシュ通信の一斉配信情報等を受信できる。
【００４０】
ところで、緊急地震速報、津波警報、災害・避難情報等の一斉配信情報は、多数の通信機器へ一斉に配信される。多くの通信機器は、表示部の電源がオフの状態において、この一斉配信情報を受信すると、表示部の電源をオンにするとともに、ＷｉＭＡＸの基地局のサーチ、認証及びネットワークエントリを試行する。
【００４１】
また、多くの通信機器は、表示部の電源がオフの状態においてアラームがオンになると、表示部の電源をオンにするとともに、ＷｉＭＡＸの基地局のサーチ、認証及びネットワークエントリを試行する。アラームは、例えば朝の０分や３０分等、特定の時刻に設定されることが多いため、同様に多数の通信機器が同時期に認証及びネットワークエントリを試みる可能性がある。
【００４２】
ところが、通常は認証及びネットワークエントリの際にのみ必要となる認証サーバ及びＤＨＣＰサーバの数は、基地局の数に比べて少ない。このため、一斉配信情報又はアラームに応じて多数の通信機器が同時期に認証及びネットワークエントリを試みると、各サーバで処理が輻輳し、認証又はネットワークエントリが失敗したり、ネットワークがダウンしたりする可能性がある。
【００４３】
そこで、制御部３０は、ＷｉＭＡＸによるデータ通信のセッションが確立されている状態で当該セッションが切断された場合、第１通信処理部３１を制御して、ＷｉＭＡＸの基地局のサーチを行うことにより、効率的にネットワークに接続する。以下、制御部３０による、ＷｉＭＡＸの基地局のサーチを行う処理について説明する。
【００４４】
制御部３０は、無線通信のセッションが切断状態において、タッチスクリーンディスプレイ２の電源がオンの状態の場合、第１時間間隔以下の時間間隔で無線通信におけるネットワークへの接続を試行し、タッチスクリーンディスプレイ２の電源がオフの状態の場合、第１時間間隔で当該ネットワークへの接続を試行する。
【００４５】
すなわち、制御部３０は、タッチスクリーンディスプレイ２の電源がオンであり、ＷｉＭＡＸによるデータ通信のセッションが確立されている状態で当該セッションが切断された場合、ＷｉＭＡＸに対するスマートフォン１の認証に成功するまで、第１時間間隔以下の時間間隔で当該認証を試行する。また、制御部３０は、タッチスクリーンディスプレイ２の電源がオフの状態において、ＷｉＭＡＸによるデータ通信のセッションが確立されている状態で当該セッションが切断された場合、ＷｉＭＡＸに対するスマートフォン１の認証に成功するまで、第１時間間隔で当該認証を試行する。
【００４６】
以下、具体的な処理について説明する。まず、タッチスクリーンディスプレイ２の電源がオンの状態について説明する。
制御部３０は、タッチスクリーンディスプレイ２の電源がオンの状態において、ＷｉＭＡＸによるデータ通信のセッションが切断された場合、ＷｉＭＡＸの基地局のサーチに成功するまで、第１時間間隔より短い第２時間間隔から段階的に時間間隔を増加させて、ＷｉＭＡＸの基地局のサーチを試行する。ここで、第１時間は、例えば３０分である。また、第２時間は、ｎ分（例えば２分）である。また、第２時間間隔から段階的に時間間隔を増加させるとは、例えば、時間間隔を２分、４分、６分、・・・３０分と増加させることをいう。
【００４７】
すなわち、制御部３０は、タッチスクリーンディスプレイ２の電源がオンの状態において、ＷｉＭＡＸによるデータ通信のセッションが切断された場合、２分間にわたり、第１通信処理部３１を停止させた後、第１通信処理部３１を制御して、ＷｉＭＡＸの基地局をサーチする。制御部３０は、ＷｉＭＡＸの基地局がサーチできた場合、基地局を介して、スマートフォン１の認証情報を認証サーバに送信し、ＷｉＭＡＸに対するスマートフォン１の認証を試行する。なお、第１通信処理部３１が停止している状態を、スリープ状態という。
【００４８】
制御部３０は、ＷｉＭＡＸに対するスマートフォン１の認証に成功した場合、ネットワークに対するネットワークエントリを行う。すなわち、制御部３０は、認証に成功した場合、ネットワーク上に存在するＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバにＩＰアドレスの取得要求を行い、ネットワークエントリを行う。スマートフォン１が、自身のＩＰアドレスをＤＨＣＰサーバから取得できた場合、ネットワークエントリに成功したものとする。
【００４９】
制御部３０は、ＷｉＭＡＸの基地局をサーチできなかった場合、スマートフォン１の認証に成功しなかった場合、又はネットワークエントリに成功しなかった場合、２分間にわたり、第１通信処理部３１を停止させた後、ＷｉＭＡＸの基地局のサーチ、ＷｉＭＡＸに対するスマートフォン１の認証及びネットワークエントリを試行する。
【００５０】
その後、制御部３０は、ＷｉＭＡＸの基地局をサーチできなかった場合、スマートフォン１の認証に成功しなかった場合、又はネットワークエントリに成功しなかった場合に、第１通信処理部３１を停止させる時間を、２分ずつ延伸する。なお、一度に延伸する時間を２分に限らず、５分、１０分等、他の時間にしてもよい。
【００５１】
ここで、タッチスクリーンディスプレイ２の電源がオンの状態において、第１通信処理部３１を停止させる時間の最大値は、第１時間、すなわち３０分である。すなわち、制御部３０は、ＷｉＭＡＸの基地局をサーチできなかった場合、又は２分間でスマートフォン１の認証に成功しなかった場合に、第１通信処理部３１を停止させる時間を３０分まで延伸する。
なお、制御部３０は、スマートフォン１がＷｉＭＡＸの通信接続が確立して所定時間経過した場合、ＷｉＭＡＸの基地局のサーチ間隔を、第２時間、すなわち２分に更新する。
【００５２】
続いて、タッチスクリーンディスプレイ２の電源がオフの状態について説明する。
制御部３０は、タッチスクリーンディスプレイ２の電源がオフであり、ＷｉＭＡＸによるデータ通信のセッションが確立されている状態で当該セッションが切断された場合、ＷｉＭＡＸに対するスマートフォン１の認証に成功するまで、第１時間間隔で当該認証を試行する。ここで、第１時間は、上述したように３０分である。
【００５３】
具体的には、制御部３０は、タッチスクリーンディスプレイ２の電源がオフの状態において、ＷｉＭＡＸによるデータ通信のセッションが切断された場合、ＷｉＭＡＸの基地局のサーチに成功するまで、３０分間隔で、ＷｉＭＡＸの基地局のサーチを試行する。制御部３０は、ＷｉＭＡＸの基地局をサーチできた場合、基地局を介して、スマートフォン１の認証情報を認証サーバに送信し、ＷｉＭＡＸに対するスマートフォン１の認証を試行する。制御部３０は、ＷｉＭＡＸに対するスマートフォン１の認証に成功した場合、ネットワークに対するネットワークエントリを行う。
【００５４】
すなわち、制御部３０は、タッチスクリーンディスプレイ２の電源がオフの状態において、ＷｉＭＡＸによるデータ通信のセッションが切断された場合には、常に３０分間隔で、ＷｉＭＡＸの基地局のサーチ、スマートフォン１の認証を試行する。
【００５５】
また、制御部３０は、タッチスクリーンディスプレイ２の電源がオフの間に、ＷｉＭＡＸによるデータ通信のセッションが切断されている（ロストしている）場合、タッチスクリーンディスプレイ２の電源がオンになったことに応じてＷｉＭＡＸの基地局のサーチを試行し、スマートフォン１の認証及びネットワークエントリを試行する。
【００５６】
タッチスクリーンディスプレイ２の電源がオンになるタイミングは、ユーザからの操作入力、音声若しくはメール等の着信、ファームウェアアップデート確認、プッシュ通信や時刻に応じたアプリケーションの起動等のタイミングがある。プッシュ通信には、緊急地震速報、津波警報、災害・避難情報等の配信情報が含まれる。このような配信情報は、スマートフォン１を含む多数の通信機器へ一斉に配信される。これら複数の機器に共通のタイミングで発生するイベントを、以下では所定のイベントと呼ぶ。
【００５７】
図６は、タッチスクリーンディスプレイ２の電源がオフからオンになったことに伴うネットワークエントリの例を示す図である。
【００５８】
スマートフォン１は、ＷｉＭＡＸに接続中、時刻ｔ１において、タッチスクリーンディスプレイ２の電源がオフになった後、時刻ｔ２において、ＷｉＭＡＸをロストして圏外になった。この場合、スマートフォン１は、３０分間にわたり第１通信処理部３１を停止させる。
【００５９】
時刻ｔ２から３０分経過していない時刻ｔ３において、所定のイベント等によって、タッチスクリーンディスプレイ２の電源がオンになると、制御部３０は、ＷｉＭＡＸの基地局をサーチできた場合に、ネットワーク接続試行を行い、通信接続を確立する。ここで、ネットワーク接続試行とは具体的には、基地局のサーチ、ネットワーク内のサーバとの認証、ネットワークエントリを含む。
【００６０】
図７は、タッチスクリーンディスプレイ２の電源がオフである場合に行われるＷｉＭＡＸの基地局のサーチに伴うネットワークエントリの例を示す図である。
【００６１】
スマートフォン１は、ＷｉＭＡＸに接続中、時刻ｔ４において、タッチスクリーンディスプレイ２の電源がオフになった後、時刻ｔ５において、ＷｉＭＡＸをロストして圏外になった。この場合、スマートフォン１は、３０分間にわたり第１通信処理部３１を停止させる。
【００６２】
時刻ｔ５から３０分経過した時刻ｔ６において、スマートフォン１は、ＷｉＭＡＸの基地局をサーチする。そして、スマートフォン１は、ＷｉＭＡＸの基地局をサーチできた場合に、スマートフォン１の認証及びネットワークエントリを開始し、通信接続を確立する。
【００６３】
時刻ｔ７において、所定のイベント等によって、タッチスクリーンディスプレイ２の電源がオンになった場合、制御部３０は、既に通信接続が確立されているため、この時点でスマートフォン１の認証及びネットワークエントリを行わない。
【００６４】
スマートフォン１が複数存在する場合、これらのスマートフォン１において、タッチスクリーンディスプレイ２の電源がオフになるタイミングはそれぞれ異なる。そして、これらスマートフォン１は、３０分間隔で自身の認証及びネットワークエントリを行うため、各サーバに対するアクセスタイミングが異なる。また、これらのスマートフォン１は、所定のイベントによって、タッチスクリーンディスプレイ２の電源がオンになったとしても、この時点において既に通信接続が確立されていれば、認証及びネットワークエントリを行わないため、輻輳が抑制される。
【００６５】
図８は、スマートフォン１におけるタッチスクリーンディスプレイ２の電源状態に応じた処理の流れを示すフローチャートである。
本処理は、タッチスクリーンディスプレイ２の電源がオンになった際に実行される。
【００６６】
ステップＳ１において、制御部３０は、タッチスクリーンディスプレイ２の電源がオンか否かを判定する。制御部３０は、この判定がＹＥＳの場合、ステップＳ２に処理を移す。制御部３０は、この判定がＮＯの場合、図９のステップＳ９に処理を移す。
【００６７】
ステップＳ２において、制御部３０は、ＷｉＭＡＸがロスト中か否かを判定する。制御部３０は、この判定がＹＥＳの場合、ステップＳ３に処理を移す。制御部３０は、この判定がＮＯの場合、ステップＳ１に処理を移す。
【００６８】
ステップＳ３において、制御部３０は、第１通信処理部３１をスリープさせる。
ステップＳ４において、制御部３０は、第１通信処理部３１をＡ分スリープさせたか否かを判定する。制御部３０は、この判定がＹＥＳである場合、ステップＳ５に処理を移す。制御部３０は、この判定がＮＯの場合、ステップＳ１に処理を移す。ここで、Ａの初期値は２であるものとするが、３０分、すなわち、第１時間よりも小さい値であれば、他の値であってもよい。
【００６９】
ステップＳ５において、制御部３０は、ＷｉＭＡＸの基地局をサーチする。
ステップＳ６において、制御部３０は、ステップＳ５におけるサーチの結果、ＷｉＭＡＸの基地局をサーチできたか否かを判定する。制御部３０は、この判定がＹＥＳの場合、ステップＳ７に処理を移す。制御部３０は、この判定がＮＯの場合、ステップＳ８に処理を移す。
【００７０】
ステップＳ７において、制御部３０は、認証サーバ及びＤＨＣＰサーバにアクセスし、スマートフォン１の認証とネットワークエントリとを試行する。なお、ステップＳ７において認証又はネットワークエントリに失敗した場合、制御部３０は、ステップＳ８に処理を移すようにしてもよい。制御部３０は、これらの処理が終了すると、本フローチャートの処理を終了する。
【００７１】
ステップＳ８において、制御部３０は、Ａにｎを加算する。ここで、ｎは、３０以下の整数であり、例えば、２でもよい。これにより、次回ＷｉＭＡＸの基地局をサーチするまでの間隔が２分延伸される。なお、制御部３０は、Ａが３０以上となった場合、Ａにｎを加算しない。
【００７２】
図９に説明を移す。ステップＳ９において、制御部３０は、タッチスクリーンディスプレイ２の電源がオンか否かを判定する。制御部３０は、この判定がＹＥＳの場合、図１のステップＳ１に処理を移す。制御部３０は、この判定がＮＯの場合、ステップＳ１０に処理を移す。
【００７３】
ステップＳ１０において、制御部３０は、ＷｉＭＡＸがロスト中か否かを判定する。制御部３０は、この判定がＹＥＳの場合、ステップＳ１１に処理を移す。制御部３０は、この判定がＮＯの場合、ステップＳ９に処理を移す。
【００７４】
ステップＳ１１において、制御部３０は、タッチスクリーンディスプレイ２の電源がオンか否かを判定する。制御部３０は、この判定がＹＥＳの場合、図１のステップＳ５に処理を移す。制御部３０は、この判定がＮＯの場合、ステップＳ１２に処理を移す。
【００７５】
ステップＳ１２において、制御部３０は、第１通信処理部３１をスリープさせる。
ステップＳ１３において、制御部３０は、第１通信処理部３１を３０分スリープさせたか否かを判定する。制御部３０は、この判定がＹＥＳである場合、ステップＳ１４に処理を移す。制御部３０は、この判定がＮＯの場合、ステップＳ１１に処理を移す。
【００７６】
ステップＳ１４において、制御部３０は、ＷｉＭＡＸの基地局をサーチする。
ステップＳ１５において、制御部３０は、ステップＳ１４におけるサーチの結果、ＷｉＭＡＸの基地局をサーチできたか否かを判定する。制御部３０は、この判定がＹＥＳの場合、ステップＳ１６に処理を移す。制御部３０は、この判定がＮＯの場合、ステップＳ１１に処理を移す。
【００７７】
ステップＳ１６において、制御部３０は、認証サーバ及びＤＨＣＰサーバにアクセスし、スマートフォン１の認証とネットワークエントリとを試行する。なお、ステップＳ１６において認証又はネットワークエントリに失敗した場合、制御部３０は、ステップＳ１１に処理を移すようにしてもよい。制御部３０は、これらの処理が終了すると、本フローチャートの処理を終了する。
【００７８】
以上のように、本実施形態によれば、スマートフォン１は、タッチスクリーンディスプレイ２の電源がオンの状態において、ＷｉＭＡＸによるデータ通信のセッションが確立されている状態で当該セッションが切断された場合、ＷｉＭＡＸに対するスマートフォン１の認証に成功するまで、第１時間間隔以下の時間間隔で当該認証を試行し、タッチスクリーンディスプレイ２の電源がオフの状態において、ＷｉＭＡＸによるデータ通信のセッションが切断されている場合、ＷｉＭＡＸに対するスマートフォン１の認証に成功するまで、第１時間分間隔で当該認証を試行する。
【００７９】
このようにして、スマートフォン１は、タッチスクリーンディスプレイの電源がオフの状態において、ＷｉＭＡＸによるデータ通信のセッションが切断されている場合、３０分間隔でスマートフォン１の認証及びネットワークエントリを行う。よって、スマートフォン１は、多数の通信機器へ一斉に配信されるプッシュ通信及びアラーム等を起因としてタッチスクリーンディスプレイ２の電源がオンになった場合において、既に認証が完了しているとき、認証サーバに対してアクセスしない。したがって、スマートフォン１は、プッシュ通信又はアラーム等を起因としてネットワークに対する急激な負荷がかかることを低減し、効率的にネットワークへ接続できる。
【００８０】
さらに、スマートフォン１は、認証に成功した場合に、ネットワークに対してネットワークエントリを行う。したがって、スマートフォン１は、タッチスクリーンディスプレイ２の電源がオフの状態において、ネットワークエントリまで完了していることから、この時点で、ＤＨＣＰサーバに対するアクセスは、行われない。したがって、スマートフォン１は、プッシュ通信又はアラーム等を起因としてネットワークに対する急激な負荷がかかることを低減し、より効率的にネットワークへ接続できる。
【００８１】
また、スマートフォン１は、タッチスクリーンディスプレイ２の電源がオンの状態において、ＷｉＭＡＸによるデータ通信のセッションが切断された場合、ＷｉＭＡＸの基地局のサーチに成功するまで、３０分間隔より短い間隔から段階的に時間間隔を増加させて、ＷｉＭＡＸの基地局のサーチを試行する。また、スマートフォン１は、タッチスクリーンディスプレイ２の電源がオンの状態において、常に３０分間隔でＷｉＭＡＸの基地局のサーチを試行する。
【００８２】
このように、スマートフォン１は、ユーザが使用していると考えられるタッチスクリーンディスプレイ２の電源がオンの状態においては、ＷｉＭＡＸの基地局のサーチ間隔を短くする。また、スマートフォン１は、ユーザが使用していないと考えられるタッチスクリーンディスプレイ２の電源がオフの状態においては、ＷｉＭＡＸの基地局のサーチを最小限に留める。スマートフォン１は、タッチスクリーンディスプレイ２の電源がオンの状態において、利便性を維持するとともに、タッチスクリーンディスプレイ２の電源がオフからオンに切り替わる場合のネットワークに対する負荷を抑制することができる。
【００８３】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００８４】
前述の実施形態では、タッチスクリーンディスプレイ２の電源がオフの状態において、ＷｉＭＡＸによるデータ通信のセッションが切断されている場合、ＷｉＭＡＸに対するスマートフォン１の認証に成功するまで、第１時間分間隔で当該認証を試行することとしたが、これに限らない。例えば、スマートフォン１は、タッチスクリーンディスプレイ２の電源がオフの状態において、ＷｉＭＡＸによるデータ通信がアイドル中の場合にセッションが切断されたとき、第１時間分間隔で当該認証を試行するようにしてもよい。また、スマートフォン１は、タッチスクリーンディスプレイ２の電源がオフの状態において、ＷｉＭＡＸによるデータ通信が行われている場合にセッションが切断されたとき、第１時間間隔以下の時間間隔で当該認証を試行するようにしてもよい。
【００８５】
また、前述の実施形態では、スマートフォン１は、ＷｉＭＡＸ及びＣＤＭＡに対応するものとして説明したが、これには限られず、上位ベアラ又は下位ベアラは、他の無線通信システムであってもよいし、スマートフォン１は、３以上の無線通信システムに対応していてもよい。
【００８６】
また、前述の実施形態では、通信機器の一例として、スマートフォン１について説明したが、本発明の通信機器は、スマートフォンに限定されない。例えば、通信機器は、モバイルフォン、携帯型パソコン、デジタルカメラ、メディアプレイヤ、電子書籍リーダ、ナビゲータ又はゲーム機等の携帯電子機器、あるいは通信機能に特化した通信専用モジュールであってもよい。また、通信機器は、デスクトップパソコン、テレビ受像器等の据え置き型の電子機器であってもよい。
【００８７】
また、前述の実施形態では、制御部３０は、タッチスクリーンディスプレイ２の電源がオンであり、ＷｉＭＡＸによるデータ通信のセッションが確立されている状態で当該セッションが切断された場合、ＷｉＭＡＸに対するスマートフォン１の認証に成功するまで、第１時間間隔以下の時間間隔で当該認証を試行することとしたが、これに限らない。制御部３０は、タッチスクリーンディスプレイ２の電源がオフにおいて、ＷｉＭＡＸによるデータ通信のセッションが確立されている状態で当該セッションが切断された場合、ＷｉＭＡＸに対するスマートフォン１の認証に成功するまで、第１時間間隔以下の時間間隔で当該認証を試行することとしてもよい。また、制御部３０は、ＷｉＭＡＸによるデータ通信のセッションが確立されている状態で当該セッションが切断された後、タッチスクリーンディスプレイ２の電源がオフとなった場合、ＷｉＭＡＸに対するスマートフォン１の認証に成功するまで、第１時間間隔以下の時間間隔で当該認証を試行することとしてもよい。
【符号の説明】
【００８８】
１    スマートフォン（通信機器）
２    タッチスクリーンディスプレイ（表示部）
３０  制御部
３１  第１通信処理部（通信部）
【図１】
2014033250.tif 000003
【図２】
2014033250.tif 000004
【図３】
2014033250.tif 000005
【図４】
2014033250.tif 000006
【図５】
2014033250.tif 000007
【図６】
2014033250.tif 000008
【図７】
2014033250.tif 000009
【図８】
2014033250.tif 000010
【図９】
2014033250.tif 000011